(57)【要約】【課題】タッチパネルと液晶表示装置とを近接させて使用した際の液晶表示装置からのノイズによる誤動作を抑制した静電容量型タッチパネル付き液晶表示装置を提供すること。【解決手段】液晶表示パネル１１と、液晶表示パネル１１に積層され、複数の検出電極１５を有するタッチパネル１２とを有する静電容量型タッチパネル付き液晶表示装置において、液晶表示パネル１１の非表示領域側に、表示領域の周囲に沿って配線されていると共に両端部が開放されたノイズ検出用配線ＮＤＬが形成され、ノイズ検出用配線ＮＤＬにはノイズ出力回路４０が接続され、座標検出回路（タッチパネルコントローラー３６）は、容量検出回路とノイズ出力回路の出力との差を演算するノイズ除去回路を備えていることを特徴とする。【選択図】図１３
2011180401.tif 000002
【特許請求の範囲】
【請求項１】
画素電極と、前記画素電極に対向する共通電極との差電圧に応じた階調となる画素が複
数形成された表示領域と、前記表示領域の周囲に形成された非表示領域とを備える液晶表
示パネルと、前記画素電極にそれぞれデータ信号を供給するとともに、第１の電圧と前記
第１の電圧よりも高い第２の電圧とを交互に切り替えたコモン信号を前記共通電極に供給
する駆動回路と、前記液晶表示パネルに積層され、複数の検出電極を有するタッチパネル
と、前記複数の検出電極の容量を出力する容量検出回路と、前記容量検出回路の出力に基
づいてタッチ座標を出力する座標検出回路と、を備えた静電容量型タッチパネル付き液晶
表示装置において、
前記液晶表示パネルの非表示領域側には、前記表示領域の周囲に沿って配線されている
と共に両端部が開放されたノイズ検出用配線が形成され、前記ノイズ検出用配線にはノイ
ズ出力回路が接続され、前記座標検出回路は、前記容量検出回路と前記ノイズ出力回路の
出力との差を演算するノイズ除去回路を備えていることを特徴とする静電容量型タッチパ
ネル付き液晶表示装置。
【請求項２】
前記ノイズ検出用配線は、前記液晶表示パネルのコモン信号配線に隣接して、前記コモ
ン信号配線の外周側に位置するように形成されていることを特徴とする請求項１に記載の
静電容量型タッチパネル付き液晶表示装置。
【請求項３】
前記ノイズ検出用配線は、両端部が一対の診断用パッドに接続されていることを特徴と
する請求項１に記載の静電容量型タッチパネル付き液晶表示装置。
【請求項４】
前記容量検出回路及び前記ノイズ出力回路は、それぞれスイッチ・キャパシタ回路を備
えていることを特徴とする請求項１〜３の何れかに記載の静電容量型タッチパネル付き液
晶表示装置。
【請求項５】
前記容量検出回路及び前記ノイズ出力回路の前記スイッチ・キャパシタ回路は、互いに
同期して作動されていることを特徴とする請求項４に記載の静電容量型タッチパネル付き
液晶表示装置。
【発明の詳細な説明】
【技術分野】
【０００１】
本発明は、画像の接触位置を検出可能な入力装置（タッチパネル）付き液晶表示装置に
関し、特にタッチパネルと液晶表示装置とを近接させて使用した際の液晶表示装置からの
ノイズによる誤動作を抑制した静電容量型タッチパネル付き液晶表示装置に関する。
【背景技術】
【０００２】
携帯電話、ナビゲーション装置、パーソナルコンピューター、券売機、銀行や郵便局等
のＡＴＭ（Autoｍated Teller Ｍachine）端末などの電子機器では、液晶表示装置などの
表面にタブレット型のタッチパネルが配置され、液晶表示装置の画像表示領域に表示され
た画像を参照しながら、この画像が表示されている箇所を指などで触れることで、画像に
対応する情報の入力を行うことができるものが知られている。
【０００３】
このようなタッチパネルには、抵抗膜型、静電容量型などがあるが、抵抗膜型のタッチ
パネルは、フィルムとガラスの２枚構造でフィルムを押下してショートさせる構造のため
、動作温度範囲が狭く、経時変化に弱いという欠点を有している。これに対して、静電容
量型のタッチパネルは、一枚の基板に透光性導電膜を形成したものであり、寿命が長く、
応答速度が早く、分解能等に優れているという利点を有しているため、現在では静電容量
型のタッチパネルが多く使用されるようになっている。
【０００４】
例えば、下記特許文献１には、互いに交差する方向に透光性電極パターンを延在させ、
指などが接触した際の電極間の静電容量の変化を検知して入力位置を検出するタイプの静
電容量型のタッチパネルが開示されている。また、静電容量型のタッチパネルにおいては
、透光性導電膜の両端に同相、同電位の交流を印加し、指が接触あるいは近接してキャパ
シタが形成される際に流れる微弱電流を検知して入力位置を検出するタイプのものも知ら
れている。
【０００５】
近年では、液晶表示装置を交流駆動する際に、信号線の電圧振幅を抑えるため、共通電
極の電圧を、低位側電圧及び高位側電圧に交互に切り替えることも行われているが、この
共通電極の電圧の切り替えに伴ってノイズが発生する。そのため、液晶表示装置と静電容
量型のタッチパネルとを組み合わせて使用すると、液晶表示装置からの表示ノイズの混入
によって誤動作することがある。
【０００６】
そこで、下記特許文献２に開示されている静電容量型のタブレット装置では、液晶表示
装置の１フレーム期間を表示期間（液晶表示装置の書き込み期間）とタッチ検出期間に分
け、液晶表示装置の表示ノイズがタッチ検出に影響を与えないようにしている。また、下
記特許文献３に開示されているタッチセンサ付き表示装置では、液晶表示装置の水平同期
信号をストローブ信号とし、タッチパネル電流からノイズ電流を差し引くことによって、
液晶表示装置の駆動信号によるノイズを相殺している。
【先行技術文献】
【特許文献】
【０００７】
【特許文献１】特開２００７−１２２３２６号公報
【特許文献２】特開平１０−１２４２３３号公報
【特許文献３】国際公開２００６／０４３６６０号パンフレット
【特許文献４】特開２００３−１０７５２７号公報
【特許文献５】特開２００６−１７１３８６号公報
【発明の開示】
【発明が解決しようとする課題】
【０００８】
上記特許文献２及び３に開示されているタッチパネル付き液晶表示装置によれば、一応
液晶表示装置からのノイズの影響を排除した位置検出信号を得ることができる。しかしな
がら、液晶表示装置からのノイズの影響を排除した位置検出信号を得るための構成が非常
に複雑であるという課題が存在している。
【０００９】
一方、液晶表示パネルの表示領域の周囲の非表示領域に、レスキューダミーライン（上
記特許文献４参照）や基板割れ診断用配線（上記特許文献５参照）が形成されているもの
が知られている。
【００１０】
上記特許文献４に開示されている液晶表示パネルのレスキューダミーラインは、表示領
域の外周側に複数本配設されるレスキューラインの外側に配設されるものであって、グラ
ウンド端子或いは共通電位（Ｖｃｏｍ）端子に接続され、外部装置からのノイズがレスキ
ューラインや画素配線に及ぼす影響を要請するためのシールド効果を有している。
【００１１】
また、上記特許文献５に開示されている液晶表示装置の基板割れ診断用配線は、信号線
が形成されている領域とシール材の外周縁とによって挟まれた領域を経由して第１及び第
２の診断用パッドに電気的に接続されており、第１及び第２の診断用パッド間が電気的に
接続しているかいないかを調べることにより基板割れが生じているか否かを診断するもの
である。
【００１２】
しかしながら、上記引用文献４及び５には、レスキューダミー配線ないし基板割れ診断
用配線を有する液晶表示装置をタッチパネルと組み合わせた場合、それぞれの間にどのよ
うな電気的影響が生じるかについては何も示されていない。
【００１３】
発明者等は、レスキューダミー配線ないし基板割れ診断用配線を有する液晶表示装置と
タッチパネルとを組合せると、レスキューダミー配線や基板割れ診断用配線には液晶表示
パネルの共通電極の電圧の切り替えに伴うノイズが誘導されていることを知見した。そし
て、このレスキューダミー配線や基板割れ診断用配線に誘導されたノイズを基にタッチパ
ネルの出力信号を補正すると、正確にタッチパネルのタッチされた位置を検出することが
できることを見出し、本発明を完成するに至ったのである。
【００１４】
すなわち、本発明は、静電容量型のタッチパネルを備えた液晶表示装置において、簡単
な構成でありながら共通電極の電圧の切り替えに伴うノイズの影響を受けにくい静電容量
型タッチパネル付き液晶表示装置を提供することを目的とする。
【課題を解決するための手段】
【００１５】
上記目的を達成するために、本発明の静電容量型タッチパネル付き液晶表示装置の発明
は、画素電極と、前記画素電極に対向する共通電極との差電圧に応じた階調となる画素が
複数形成された表示領域と、前記表示領域の周囲に形成された非表示領域とを備える液晶
表示パネルと、前記画素電極にそれぞれデータ信号を供給するとともに、第１の電圧と前
記第１の電圧よりも高い第２の電圧とを交互に切り替えたコモン信号を前記共通電極に供
給する駆動回路と、前記液晶表示パネルに積層され、複数の検出電極を有するタッチパネ
ルと、前記複数の検出電極の容量を出力する容量検出回路と、前記容量検出回路の出力に
基づいてタッチ座標を出力する座標検出回路と、を備えた静電容量型タッチパネル付き液
晶表示装置において、前記液晶表示パネルの非表示領域側には、前記表示領域の周囲に沿
って配線されていると共に両端部が開放されたノイズ検出用配線が形成され、前記ノイズ
検出用配線にはノイズ出力回路が接続され、前記座標検出回路は、前記容量検出回路と前
記ノイズ出力回路の出力との差を演算するノイズ除去回路を備えていることを特徴とする
。
【００１６】
液晶表示装置の表示領域の周囲に沿って両端が開放された配線を形成すると、この両端
が開放された配線は、アンテナとして作用し、液晶表示パネルの内部に印加されている信
号ないし外部からの信号に起因するノイズが誘導される。共通電極に印加されるコモン信
号が、液晶を交流駆動するために、第１の電圧とこの第１の電圧よりも高い第２の電圧と
の間で交互に切り替えられているものであると、この第１の電圧と第２の電圧との電位差
が大きいため、両端が開放された配線にはこの第１の電圧と第２の電圧の切り替えに起因
する大きなノイズが誘導される。
【００１７】
本発明の静電容量型タッチパネル付き液晶表示装置では、この両端が開放された配線を
ノイズ検出用配線として利用し、ノイズ出力回路を経て、座標検出回路のノイズ除去回路
で容量検出回路とノイズ出力回路の出力との差を演算している。そのため、本発明の静電
容量型タッチパネル付き液晶表示装置によれば、簡単な構成によって高精度にノイズが除
去された出力に基いて容量を検出することができるので、座標検出回路は、タッチパネル
のタッチされた位置、すなわちタッチ座標を正確に検出することができるようになる。
【００１８】
また、本発明の静電容量型タッチパネル付き液晶表示装置においては、前記ノイズ検出
用配線は、前記液晶表示パネルのコモン信号配線に隣接して前記コモン信号配線の外周側
に位置するように形成されていることが好ましい。
【００１９】
ノイズ検出用配線が、液晶表示パネルのコモン信号配線に隣接して、コモン信号配線の
外周側に位置するように形成されていれば、コモン配線とノイズ検出用配線との間に容量
が形成されるため、コモン配線に印加されている信号に起因するノイズを良好に拾うこと
ができる。そのため、本発明の静電容量型タッチパネル付き液晶表示装置によれば、より
正確にタッチ座標を検出することができるようになる。
【００２０】
また、本発明の静電容量型タッチパネル付き液晶表示装置においては、前記ノイズ検出
用配線は、両端部が一対の診断用パッドに接続されているものとすることができる。
【００２１】
液晶表示装置においては、コモン配線は大部分が表示領域の周囲の最外周側に配線され
ている。本発明の静電容量型タッチパネル付き液晶表示装置においては、ノイズ検出用配
線はコモン配線の更に外周側に配線されているから、基板割れ等が生じた場合には最初に
ノイズ検出用配線が断線する。そのため、本発明の静電容量型タッチパネル付き液晶表示
装置によれば、一対の診断用パッド間の電気抵抗を測定することにより、容易にノイズ検
出用配線の断線、すなわち、基板割れ等の不具合を検出することができるようになる。
【００２２】
また、本発明の静電容量型タッチパネル付き液晶表示装置においては、前記容量検出回
路及び前記ノイズ出力回路は、それぞれスイッチ・キャパシタ回路を備えていることが好
ましい。
【００２３】
容量検出回路及びノイズ出力回路が共にスイッチ・キャパシタ回路を備えていれば、コ
モン配線に印加されている電圧に起因するノイズは、容量検出回路の出力及びノイズ出力
回路の出力ともに実質的に同様の影響を与える。そのため、本発明の静電容量型タッチパ
ネル付き液晶表示装置によれば、よりノイズによる悪影響が少なくなり、より正確にタッ
チ座標を求めることができるようになる。
【００２４】
また、本発明の静電容量型タッチパネル付き液晶表示装置においては、前記容量検出回
路及び前記ノイズ出力回路の前記スイッチ・キャパシタ回路は、互いに同期して作動され
ていることが好ましい。
【００２５】
容量検出回路及びノイズ出力回路のスイッチ・キャパシタ回路が互いに同期して作動し
ていると、より正確にノイズを除去することができるようになる。そのため、発明の静電
容量型タッチパネル付き液晶表示装置によれば、よりノイズによる悪影響が少なくなり、
更に正確にタッチ座標を求めることができるようになる。
【図面の簡単な説明】
【００２６】
【図１】図１Ａは本発明の実施形態に係る静電容量型タッチパネル付き液晶表示装置の概略斜視図であり、図１Ｂは図１Ａのタッチパネルの部分拡大平面図である。
【図２】図１Ａの液晶表示パネル及びその駆動回路の構成を示す図である。
【図３】図１Ａの液晶表示パネルの数画素分の等価回路図である。
【図４】図１Ａの液晶表示パネルのアレイ基板の概略平面図である。
【図５】図１Ａの液晶表示パネルの動作を示すタイミングチャートである。
【図６】図１Ｂのタッチパネルの容量検出回路を示す図である。
【図７】図１Ｂのタッチパネルの容量検出回路による検出動作の割り当てを示す図である。
【図８】図１Ｂのタッチパネルの１つの電極の動作を示すタイミングチャートである。
【図９】図９Ａはセトリング期間のタッチパネルの動作を示す図であり、図９Ｂはカウント期間中のタッチパネルの動作を示す図である。
【図１０】タッチパネルコントローラーの動作を示すフローチャートである。
【図１１】実施形態のタッチパネルの容量検出回路のタイミングチャートである。
【図１２】従来の容量検出回路の実測波形を示す図である。
【図１３】実施形態のノイズ補正回路の概略図である。
【発明を実施するための形態】
【００２７】
以下、図面を参照して本発明を実施するための形態を説明するが、以下に示す実施形態
は、本発明をここに記載したものに限定することを意図するものではなく、本発明は特許
請求の範囲に示した技術思想を逸脱することなく種々の変更を行ったものにも均しく適用
し得るものである。
【００２８】
本発明の実施形態の静電容量型タッチパネル付き液晶表示装置の具体的構成を図１を用
いて説明する。なお、図１Ａは本発明の実施形態に係る静電容量型タッチパネル付き液晶
表示装置の概略斜視図であり、図１Ｂは図１Ａのタッチパネルの部分拡大平面図である。
【００２９】
実施形態の静電容量型タッチパネル付き液晶表示装置１０は、図１Ａに示すように、液
晶表示パネル１１と、タッチ検出用の検出電極が形成されたタッチパネル１２とを積層し
た構成を有している。液晶表示パネル１１は、透過型、反射型あるいは半透過反射型のア
クティブマトリクス型液晶表示パネルからなり、透過型あるいは半透過反射型の液晶表示
パネルの場合、表示光の出射側とは反対側にバックライト装置（図示省略）が配置されて
いる。
【００３０】
また、液晶表示パネル１１においては、液晶表示パネル１１に対して位相差板や偏光板
（図示省略）が重ねて配置される。液晶表示パネル１１は、アレイ基板１３と、アレイ基
板１３に対して対向配置された対向基板１４と、対向基板１４とアレイ基板１３との間に
保持された液晶層（図示省略）とを備えている。なお、図１Ａでは、説明のために液晶表
示パネル１１とタッチパネル１２との間を離した状態で示しているが、実際には、これら
は密着した状態となっている。
【００３１】
本発明の実施形態に係るタッチパネル１２は、図１Ｂに示したように、透明な第１検出
電極１５ａ及び透明な第２検出電極１５ｂを備えている。なお、図１Ｂにおいては、透明
な第１検出電極１５ａ及び透明な第２検出電極１５ｂの一部を抜粋して示してある。また
、以下では、透明な第１検出電極１５ａ及び透明な第２検出電極１５ｂを区別する必要が
ない場合には、共に「検出電極１５」と表す場合もある。
【００３２】
タッチパネル１２は、静電容量型のタッチパネルであり、１枚の透光性基板上に、タッ
チパネル１２における入力位置の検出を行うための駆動回路が接続されている。また、タ
ッチパネル１２においては、透光性基板の上面の入力領域には、矢印Ｘで示す第１の方向
に延在する複数列の透明な第１検出電極１５ａと、矢印Ｙで示す第１の方向に交差する第
２の方向に延在する複数列の透明な第２検出電極１５ｂとが形成されている。ここで、透
明な第１検出電極１５ａ及び透明な第２検出電極１５ｂは各々菱形形状をしている。
【００３３】
そして、透明な第１検出電極１５ａは透明な第２検出電極１５ｂとの交差部１５ｃで繋
がっているが、透明な第２検出電極１５ｂは、透明な第１検出電極１５ａとの交差部１５
ｃで途切れているが、層間絶縁膜１５ｄ上に形成された中継電極１５ｅによって電気的に
接続されている。すなわち、交差部１５ｃにおける透明な第１検出電極１５ａの上層側に
は、透光性の層間絶縁膜１５ｄが形成されているとともに、この層間絶縁膜１５ｄの上層
には、交差部１５ｃで途切れている透明な第２検出電極１５ｂ同士を電気的に接続する透
光性の中継電極１５ｅが形成されている。このため、透明な第２検出電極１５ｂは第２の
方向で電気的に接続されている状態となる。
【００３４】
このような構成のタッチパネル１２では、複数の透明な第１検出電極１５ａ及び複数の
透明な第２検出電極１５ｂに順次検出用電圧を印加して電荷を与えた際、いずれかの箇所
に導電体である指が触れると、透明な第１検出電極１５ａ及び透明な第２検出電極１５ｂ
と、指との間でも容量を持ち、その結果として第１検出電極１５ａと第２検出電極１５ｂ
間の静電容量が低下するので、いずれの箇所に指が触れたかを検出することができるよう
になる。なお、透明な第１検出電極１５ａ及び透明な第２検出電極１５ｂについての形状
は、例えば矩形形状としてマトリクス状に配列させてもよい。
【００３５】
ここで、実施形態の静電容量型タッチパネル付き液晶表示装置１０における液晶表示パ
ネル１１及びその駆動回路１６について図２〜図５を用いて説明する。なお、図２は、液
晶表示パネル１１及びその駆動回路１６の構成を示す図である。図３は、液晶表示パネル
１１の数画素分の等価回路図である。図４は液晶表示パネルのアレイ基板の概略平面図で
ある。図５は液晶表示パネルの動作を示すタイミングチャートである。
【００３６】
図２に示されているように、実施形態の液晶表示パネル１１では、表示領域ＤＡにおい
て、例えばｍ行の走査線１７が行方向（Ｘ方向）に延在するように、また、ｎ列の信号線
１８が列方向（Ｙ方向）に延在するように、それぞれ設けられている。そして、これらの
１〜ｍ行目の走査線１７と１〜ｎ列目の信号線１８との交差に対応して、画素１９がそれ
ぞれ配列している。従って、実施形態の液晶表示パネル１１においては、画素１９が縦ｍ
行×横ｎ列のマトリクス状に配列することになる。また、共通電極２０には、コモン信号
供給回路２１からコモン配線２０Ｌを介してコモン信号ＶＣＯＭが供給されており、すべ
ての画素１９にわたって共用されている。
【００３７】
画素１９は、図３に示されているように、ｎチャネル型の薄膜トランジスター（Thin F
ilm Transistor：以下単に「ＴＦＴ」という。）２２と液晶容量２３とを有している。こ
のＴＦＴ２２は、ゲート電極が走査線１７に接続され、ソース電極が信号線１８に接続さ
れ、ドレイン電極が画素電極２４にそれぞれ接続されている。ここで、画素電極２４はア
レイ基板１３に形成される。それに対し、共通電極２０はすべての画素電極２４に対向す
るように対向基板１４に形成され、画素電極２４との間で液晶層２５を挟持する。従って
、画素１９毎に、画素電極２４、共通電極２０及び液晶層２５からなる液晶容量２３が構
成される。
【００３８】
なお、このような液晶容量２３において、画素電極２４と共通電極２０との間を通過す
る光の透過率は、液晶容量２３に保持される電圧の実効値がゼロのときに最小値（最も暗
い状態）となるが、実効値が大きくなるにつれて徐々に大きくなるノーマリーブラックモ
ードに設定される。このため、バックライトユニット（図示省略）よって照射された光は
、画素１９毎に、液晶容量２３に保持された電圧の実効値に応じた比率で出射する。従っ
て、画素１９毎に、階調に応じた電圧を液晶容量２３に保持させることによって、目的の
画像を表示させることができる。
【００３９】
なお、実施形態の液晶表示パネル１１のアレイ基板１３の概略平面図は、図４に示した
とおりである。すなわち、アレイ基板１３の表示領域ＤＡの周囲には、例えば短辺側の一
端部に駆動回路１６を含むドライバーＩＣＤｒが配置されている。また、表示領域ＤＡの
複数の走査線１７はそれぞれ表示領域ＤＡの周囲に形成された走査線引き回し配線１７Ｌ
を経てドライバーＩＣＤｒに接続されており、同じく複数の信号線１８は信号線引き回し
配線１８Ｌを経てドライバーＩＣＤｒに接続されている。そして、ドライバーＩＣＤｒか
らは、アレイ基板１３の短辺側の一端に形成された外部接続用端子Ｔ１が形成されている
。
【００４０】
また、表示領域ＤＡの外周部には、表示領域ＤＡを取り囲むようにコモン配線２０Ｌが
形成されている。このコモン配線２０Ｌには、コモン信号供給回路２１からのコモン信号
ＶＣＯＭが印加されており、共通電極２０と電気的に接続されている。なお、コモン信号
供給回路２１はドライバーＩＣＤｒ内に内蔵される場合も、外部回路から外部接続用端子
Ｔ１を経て供給される場合もある。そして、実施形態の液晶表示パネル１１のアレイ基板
１３には、コモン配線２０Ｌの外周側に沿って、ノイズ検出用配線ＮＤＬが形成されてい
る。このノイズ検出用配線ＮＤＬの両端は、それぞれ外部接続用端子Ｔ１に隣接配置され
た診断用パッドＴ２に接続されている。なお、ノイズ検出用配線ＮＤＬ及び診断用パッド
Ｔ２の詳細については後述する。
【００４１】
駆動回路１６は、図２に示すように、制御回路２６、コモン信号供給回路２１、走査線
駆動回路２７及び信号線駆動回路２８を有している。このうち、制御回路２６は、各種制
御信号を出力して、コモン信号供給回路２１、走査線駆動回路２７及び信号線駆動回路２
８の各部をそれぞれ制御するものである。走査線駆動回路２７は、１フレームの期間にお
いて走査信号Ｙ１、Ｙ２、Ｙ３、…、Ｙｍを、それぞれ１、２、３、…、ｍ行目の走査線
１７に供給する。詳細には、走査線駆動回路２７は、図４に示されているように、１フレ
ームの期間において走査線１７を１行ずつ図２において上から数えて１、２、３、…、ｍ
行目という順番で水平走査期間（Ｈ）毎に選択し、選択した走査線１７への走査信号をＨ
レベルに相当する選択電圧ＶＧＨとし、それ以外の走査線１７への走査信号をＬレベルに
相当する電圧ＶＧＬとする。なお、本実施形態において１フレームとは、１枚の画像を表
示させるのに要する期間をいい、図５に示されているように、１行目の走査線１７を選択
してからｍ行目の走査線１７を選択するまでの期間をいう。
【００４２】
信号線駆動回路２８は、走査線駆動回路２７により走査線引き回し配線１７Ｌを経て選
択電圧が印加された走査線１７に位置する画素１９に対し、画素の階調に応じた電圧であ
って、制御回路２６で指定された書込極性に応じた電圧のデータ信号を、１〜ｎ列目の信
号線１８にそれぞれ供給するものである。詳細には、信号線駆動回路２８は、縦ｍ行×横
ｎ列の画素マトリクス配列に対応した記憶領域（図示省略）を有し、各記憶領域において
、それぞれに対応する画素１９の階調（明るさ）を指定する表示データＤａを記憶する。
ここで、信号線駆動回路２８は、ある走査線１７に選択電圧が印加される直前において、
前記走査線１７に位置する画素１９の表示データＤａを記憶領域から読み出すとともに、
前記読み出した表示データで指定された階調及び書込極性に応じた電圧に変換し、走査線
に選択電圧が印加されるタイミングに合わせて、データ信号として信号線引き回し配線１
８Ｌを経て信号線１８に供給する。
【００４３】
この供給動作を、信号線駆動回路２８は、選択される走査線１７に位置する１〜ｎ列の
それぞれについて並列的に実行する。なお、記憶領域に記憶される表示データＤａは、表
示内容に変更が生じた場合に、外部上位回路（図示省略）から書込アドレスとともに変更
後の表示データＤａが供給されて書き換えられる。
【００４４】
本実施形態において、画素への書き込み極性は、１行毎に反転する行反転（ライン反転
、走査線反転ともいう）方式としている。ここで、図５に示されているように、あるフレ
ーム（「ｎフレーム」と表記）の期間において、奇数（１、３、５、…、ｍ−１）行目の
走査線１７に位置する画素１９に対しては正極性が指定され、偶数（２、４、６、…、ｍ
）行目の走査線１７に位置する画素１９に対しては負極性が指定されるものとしたとき、
次のフレーム（「（ｎ＋１）フレーム」と表記）では、奇数行の画素１９では負極性が指
定され、偶数行の画素１９では正極性が指定される。このように書込極性を１フレーム毎
に反転する理由は、直流成分の印加による液晶層２５の劣化を防止するためである。
【００４５】
コモン信号供給回路２１は、次のような電圧のコモン信号ＶＣＯＭを共通電極２０に供
給するものである。詳細には、コモン信号供給回路２１は、ある１行の走査線が選択され
る水平走査期間（Ｈ）において、正極性書込が指定されていればコモン信号ＶＣＯＭを電
圧ＶＣＯＭＬとし、負極性書込が指定されていればコモン信号ＶＣＯＭを電圧ＶＣＯＭＨ
とする。なお、電圧ＶＣＯＭＬ、ＶＣＯＭＨは、図５に示されているように、Ｌレベルに
相当する電圧ＶＧＬと、Ｈレベルに相当する選択電圧ＶＧＨとにおいて、ＶＧＬ<ＶＣＯ
ＭＬ<ＶＣＯＭＨ<ＶＧＨという関係にある。
【００４６】
ここで、本実施形態においてフレーム周波数を６０Ｈｚとした場合、１フレームの期間
は１６．７ｍ秒となり、水平走査期間（Ｈ）は、そのｍ分の１である５０μ秒となる。従
って、コモン信号供給回路２１は、１２ＭＨｚであるクロック信号Ｃｌｋを３８分周した
信号Ｃｌｋｂの１６クロック分を、１水平走査期間（Ｈ）の目安として、コモン信号ＶＣ
ＯＭの電圧を切り替えればよいことになる。
【００４７】
次に、液晶表示パネル１１の動作について説明する。上述したように本実施形態では、
ｎフレームにおいて、最初に１行目の走査線１７が選択され、走査信号Ｙ１がＨレベルに
相当する電圧ＶＧＨとなる。また、ｎフレームにおいて奇数行では正極性書込が指定され
るので、走査信号Ｙ１がＨレベルとなる水平走査期間（Ｈ）において、コモン信号ＶＣＯ
Ｍは電圧ＶＣＯＭＬとなる。さらに、ｎフレームにおいて走査信号Ｙ１がＨレベルとなる
とき、信号線駆動回路２８は、１行目であって１、２、３、…、ｎ列目の画素の表示デー
タＤａで指定された電圧だけ、電圧ＶＣＯＭＬを基準に高位側とした電圧のデータ信号Ｘ
１、Ｘ２、Ｘ３、…、Ｘｎを、それぞれ１、２、３、…、ｎ列の信号線１８に供給する。
これにより例えば、ｊ列目の信号線１８に供給されるデータ信号Ｘｊは、１行ｊ列の画素
１９の表示データＤａで指定される階調が明るくなるにつれて、電圧ＶＣＯＭＬよりも高
位側とした電圧となる。走査信号Ｙ１がＨレベルになると、１行１列〜１行ｎ列の画素に
おけるＴＦＴ２２がオンするので、これらの画素電極２４には、データ信号Ｘ１、Ｘ２、
Ｘ３、…、Ｘｎが印加される。このため、１行１列〜１行ｎ列の液晶容量２３には、デー
タ信号の電圧とコモン信号ＶＣＯＭの電圧ＶＣＯＭＬとの差電圧が、すなわち階調に応じ
た正極性の電圧が書き込まれることになる。
【００４８】
次に、ｎフレームにおいて、２行目の走査線１７が選択されて、走査信号Ｙ２がＨレベ
ルとなる。また、ｎフレームにおいて偶数行では負極性書込が指定されるので、走査信号
Ｙ２がＨレベルとなる水平走査期間（Ｈ）において、コモン信号ＶＣＯＭは電圧ＶＣＯＭ
Ｈとなる。さらに、走査信号Ｙ２がＨレベルとなるとき、信号線駆動回路２８は、２行目
であって１、２、３、…、ｎ列目の画素の表示データＤａで指定された電圧だけ、電圧Ｖ
ＣＯＭＨを基準に低位側とした電圧のデータ信号Ｘ１、Ｘ２、Ｘ３、…、Ｘｎを、それぞ
れ１、２、３、…、ｎ列の信号線１８に供給する。これにより例えば、ｊ列目の信号線１
８に供給されるデータ信号Ｘｊは、２行ｊ列の画素１９の表示データＤａで指定される階
調が明るくなるにつれて、電圧ＶＣＯＭＨよりも低位側とした電圧となる。走査信号Ｙ２
がＨレベルになると、２行１列〜２行ｎ列の画素におけるＴＦＴ２２がオンするので、こ
れらの画素電極２４には、データ信号Ｘ１、Ｘ２、Ｘ３、…、Ｘｎが印加される。このた
め、２行１列〜２行ｎ列の液晶容量２３には、階調に応じた負極性の電圧が書き込まれる
ことになる。
【００４９】
ｎフレームにおいては、以降同様な動作が繰り返され、奇数行では、階調に応じた正極
性の電圧が書き込まれて保持され、偶数行では、階調に応じた負極性の電圧が書き込まれ
て保持される。次の（ｎ＋１）フレームにおいても同様な動作が繰り返されるが、書き込
み極性が反転するので、奇数行では、階調に応じた負極性の電圧が書き込まれて保持され
、偶数行では、階調に応じた正極性の電圧が書き込まれて保持される。
【００５０】
図５には、ｊ列目の信号線１８に供給されるデータ信号Ｘｊの電圧波形が、走査信号Ｙ
ｉ、Ｙ（ｉ＋１）との関係において示されている。ｉ行目の走査線が選択される水平走査
期間（Ｈ）において正極性書込が指定されている場合、水平走査期間（Ｈ）では共通電極
２０に供給されるコモン信号ＶＣＯＭが電圧ＶＣＯＭＬとなる。ｊ列目の信号線１８には
、電圧ＶＣＯＭＬよりも、ｉ行ｊ列の画素の階調に応じた電圧だけ高位側の電圧（図５に
おいて上向きの矢印で示される）のデータ信号Ｘｊが供給される。これにより、ｉ行ｊ列
の液晶容量２３においては、データ信号Ｘｊの電圧と共通電極２０の電圧ＶＣＯＭＬとの
差電圧、すなわち、階調に応じた正極性電圧が書き込まれることになる。
【００５１】
次の（ｉ＋１）行目の走査線が選択される水平走査期間（Ｈ）では、書込極性が反転し
て負極性書込が指定されるので、走査信号Ｙ（ｉ＋１）がＨレベルとなる水平走査期間（
Ｈ）ではコモン信号ＶＣＯＭが電圧ＶＣＯＭＨとなる。ｊ列目の信号線１８には、電圧Ｖ
ＣＯＭＨよりも（ｉ＋１）行ｊ列の画素の階調に応じた電圧だけ低位側の電圧（図５にお
いて下向きの矢印で示されている）のデータ信号Ｘｊが供給される。これにより、（ｉ＋
１）行ｊ列の液晶容量２３においては、データ信号Ｘｊの電圧と共通電極２０の電圧ＶＣ
ＯＭＨとの差電圧、すなわち、階調に応じた負極性電圧が書き込まれることになる。
【００５２】
次に、静電容量型タッチパネル付き液晶表示装置１０におけるタッチパネルについて、
図６〜図８を用いて説明する。なお、図６は図１Ｂのタッチパネルの容量検出回路を示す
図である。図７は図１Ｂのタッチパネルの容量検出回路による検出動作の割り当てを示す
図である。図８は図１Ｂのタッチパネルの１つの電極の動作を示すタイミングチャートで
ある。
【００５３】
このタッチパネルは、タッチパネル１２と、タッチパネル１２に形成された検出電極１
５の容量を検出するための容量検出回路２９とにより構成されている。なお、図６は、Ａ
Ｄ変換器３０として逐次比較型ＡＤ変換器３０ａを使用した容量検出回路２９の要部構成
を示すブロック図である。図１Ｂに示したように、透明な第１検出電極１５ａは行毎に互
いに電気的に接続されており、また、透明な第２検出電極１５ｂは列毎に互いに電気的に
接続されている。そして、容量検出回路２９は、全ての行及び全ての列に対応するように
個別に設けられたｎ個のスイッチ・キャパシタ回路３１と、定電流源３２と、容量素子３
３と、逐次比較型ＡＤ変換器３０ａを構成するコンパレータ３４と、カウンタ３５とを含
んでいる。
【００５４】
全ての行及び全ての列に対応するように個別に設けられたｎ個のスイッチ・キャパシタ
回路３１は、構成的には同一である。そこで、１番目の行又は列に対応するもので説明す
ると、１番目のスイッチ・キャパシタ回路３１は、一端が１行目の検出電極１５に接続さ
れたスイッチＳＷ１と、スイッチＳＷ１の一端（検出電極１５側）と電位ＧＮＤの接地線
との間でオンオフするスイッチＳＷ２とを有している。スイッチＳＷ１とスイッチＳＷ２
とは排他的に作動し、スイッチＳＷ１がオン状態の時にはスイッチＳＷ２はオフ状態とな
り、スイッチＳＷ１がオフ状態のときにはスイッチＳＷ２はオン状態となる。２〜ｎ番目
の行又は列に対応するスイッチ・キャパシタ回路３１についても、１番目の行又は列に対
応するスイッチ・キャパシタ回路３１と同様な構成であるが、それぞれ操作するタイミン
グがずらされている。これらのタイミングは、図示省略したが、それぞれのスイッチ・キ
ャパシタ回路３１に供給されるスイッチＳＷ１及びスイッチＳＷ２に供給されるクロック
パルスにより制御される。なお、これらの回路は周知であるので詳細な説明は省略する。
【００５５】
１〜ｎ番目の行又は列に対応するスイッチ・キャパシタ回路３１において、スイッチＳ
Ｗ１の他端同士は共通接続されている。説明の便宜上、この共通接続点をノードＡと表記
する。定電流源３２は、電源電圧の高位側給電線からノードＡに向けて一定の電流Ｉｄａ
ｃを流す回路である。また、容量素子３３は、ノードＡと接地線との間に介挿されている
。コンパレータ３４は、ノードＡの電圧と基準電圧Ｖｒｅｆとを比較し、ノードＡの電圧
が基準電圧Ｖｒｅｆよりも低い場合にＨレベルとなり、ノードＡの電圧が基準電圧Ｖｒｅ
ｆ以上となった場合にＬレベルとなる出力信号Ｖｃｍｐを出力する。カウンタ３５は、出
力信号ＶｃｍｐがＨレベルであるときにカウント動作が許可されて、クロック信号Ｏｓｃ
をカウントするものであり、そのカウント値Ｃｎｔを外部の制御回路（図示省略）に出力
する。なお、カウンタ３５によるカウント値Ｃｎｔは、後述するカウント期間の最初に供
給されるパルス信号Ｐｓによりゼロにリセットされる。
【００５６】
次に、容量検出の動作について説明する。図７は、容量検出回路２９による検出動作の
割り当てを示す図である。この図に示されているように、容量検出回路２９では、１番目
、２番目、３番目、…、ｎ番目の行又は列の容量について、この順番で検出する動作を繰
り返す。各行又は列の容量を検出するための期間は、セトリング期間とカウント期間とに
分けられる。ここで、１番目の行又は列に対応する容量検出動作について図８を参照して
説明する。
【００５７】
図８に示されているように、１番目の行又は列について容量を検出するための期間のう
ち、セトリング期間では、信号Ｃｋ１がＨレベル及びＬレベルを交互に繰り返す。なお、
セトリング期間における信号Ｃｋ１は、例えばクロック信号Ｃｌｋを４分周したものが用
いられ、ここでは周波数３ＭＨｚとされている。
【００５８】
タッチパネル１２は、液晶表示パネル１１に対して積層されるので、検出電極１５には
様々な容量が寄生する。例えば、所定の行又は列について寄生する容量としては、液晶表
示パネル１１（の各種電極等）との結合容量ＣＬＣＤと、他の電極との結合容量及び浮遊
容量の合成容量ＣＥがある。このうち、容量ＣＬＣＤは、液晶表示パネル１１の各種電極
、例えば共通電極２０や、走査線１７、信号線１８等を介して電位ＧＮＤに接地されてい
る。ここで便宜的に、所定の行又は列に対する容量ＣＬＣＤ及び容量ＣＥの合成容量をＣ
ｘと表す。
【００５９】
次にスイッチ・キャパシタ回路の動作原理を図９を用いて説明する。なお、図９Ａはセ
トリング期間の動作を示す図であり、図９Ｂはカウント期間中の動作を示す図である。図
９Ａに示すように、セトリング期間において信号Ｃｋ１がＨレベルであると、スイッチＳ
Ｗ１がオン状態となり、スイッチＳＷ２がオフ状態となるので、定電流Ｉｄａｃによって
容量Ｃｘが充電される。このとき、容量Ｃｘは十分に小さいので、容量Ｃｘに流れる電流
は、すぐにゼロとなる。次に、図９Ｂに示すように、セトリング期間において信号Ｃｋ１
がＬレベルになると、スイッチＳＷ１がオフ状態となり、スイッチＳＷ２がオン状態とな
るので、容量Ｃｘには、その放電によって放電電流が流れ、やがて完全に放電して放電電
流がゼロとなる。
【００６０】
ここで、セトリング期間において、信号Ｃｋ１がＨレベルであるときに容量Ｃｘに充電
される電荷と、信号Ｃｋ１がＬレベルであるときに容量Ｃｘから放電される電荷とは互い
等しいので、スイッチＳＷ１、ＳＷ２のオンオフを一定周期で繰り返すと、充電による電
流平均値と放電による電流平均値とは同じ大きさとなる。すなわち、電源電圧からみた容
量Ｃｘは、充放電流の平均値が流れる抵抗素子と等価である、と考えることができる。こ
れがスイッチ・キャパシタ回路の動作原理である。
【００６１】
このため、セトリング期間が十分に長ければ、図８に示されているように、ノードＡの
平均電圧Ｖａは、Ｉｄａｃ／（ｆｓ・Ｃｘ）にセトリングすることになる。ここで、電圧
｛Ｉｄａｃ／（ｆｓ・Ｃｘ１）｝が基準電圧Ｖｃｍｐよりも低くなるように、周波数ｆｓ
、定電流Ｉｄａｃを設定する。このように設定したとき、セトリング期間の終了時におい
て、コンパレータ３４による信号ＶｃｍｐはＨレベルとなる。
【００６２】
続いてセトリング期間が終了してカウント期間に移行すると、信号Ｃｋ１はＬレベルと
なる。これにより、スイッチＳＷ１がオフ状態に、スイッチＳＷ２がオン状態に、それぞ
れ固定されるので、検出電極１５は、ノードＡから切り離されて、電位ＧＮＤに接地され
る。このため、ノードＡは、定電流Ｉｄａｃによって容量素子３３が充電されるので、電
圧｛Ｉｄａｃ／（ｆｓ・Ｃｘ１）｝から一定の割合で上昇する。また、カウント期間の最
初にパルス信号Ｐｓが出力されるとともに、クロック信号Ｏｓｃが図示省略した別途の発
振器から出力される。
【００６３】
このため、カウンタ３５のカウント値Ｃｎｔがゼロにリセットされる。さらに、信号Ｖ
ｃｍｐがＨレベルであり、カウント動作が許可されているので、カウンタ３５は、クロッ
ク信号Ｏｓｃをアップカウントすることになる。ノードＡの電圧が上昇し、やがて基準電
圧Ｖｒｅｆに達すると、信号ＶｃｍｐがＬレベルに変化するので、カウンタ３５では、カ
ウント動作が不許可になる。このため、カウント値Ｃｎｔは、カウント期間の開始から、
ノードＡが基準電圧Ｖｒｅｆに達した時点までの間におけるクロック信号Ｏｓｃの周期数
となる。
【００６４】
ここで、例えば１番目の検出電極１５に指等がタッチしている場合、指等との静電結合
により容量ＣＥが見掛け上、増加して、合成容量Ｃｘも増加する。このため、セトリング
期間の終端において、ノードＡの電圧Ｖａは、図８に細線で示されているように低下する
ので、基準電圧Ｖｒｅｆに達するまでの時間がそれだけ長くなり、カウント値Ｃｎｔが増
加する。従って、外部の制御回路が、カウンタ３５によるカウント値Ｃｎｔについて、非
タッチ時における値を基準として、大きいか否かを判断することによって、１番目の検出
電極１５において指等がタッチしているか否かを検出することができる。
【００６５】
このような動作を、図１０に示したように、１番目からｎ番目までの検出電極１５につ
いて順番に繰り返して実行することによって、すべての検出電極１５についてタッチがさ
れているか否かを検出することができ、タッチパネルコントローラー３６（本発明の「座
標検出回路」に対応）によってタッチされている行及び列の検出値からタッチされている
座標を求めることができる。
【００６６】
なお、座標計算工程においては、適宜ベースラインの補正を行う。このベースラインの
補正は、逐次比較型ＡＤ変換器３０からのＡＤ変換後の値からベースライン（閾値）を引
き算し、次いで、１番目〜ｎ番目のまでのデータの得られた後、これらのデータの重心を
計算し、この重心に基いてベースラインを更新する。このように更新されたベースライン
を次回のベースラインとする。
【００６７】
ここで、容量検出回路２９による検出動作と、コモン信号ＶＣＯＭとの関係について説
明する。上述したように、本実施形態では水平走査期間（Ｈ）が５０μ秒である。このた
め、同一フレーム期間であれば、図５に示されているように、コモン信号ＶＣＯＭは、水
平走査期間（Ｈ）毎に、電圧ＶＣＯＭＨ、ＶＣＯＭＬで交互に切り替わる。本実施形態で
は、容量検出回路２９による検出に割り当てられるセトリング期間よりも、水平走査期間
（Ｈ）が短く設定される。このため、同図に示されているように、ある１つの検出電極１
５について容量検出をするためのセトリング期間において、必ずコモン信号ＶＣＯＭの電
圧が切り替わる。
【００６８】
コモン信号ＶＣＯＭが印加される共通電極２０は、すべての画素の画素電極２４に対向
するために広面積であるので、共通電極２０の電圧切り替わりに伴うノイズは、タッチパ
ネル１２に形成された検出電極１５に対して容量ＣＬＣＤを介して伝搬しやすい。この現
象を図１１を用いて説明する。なお、図１１はスイッチ・キャパシタ回路３１とコモン信
号ＶＣＯＭの反転のタイミングを説明するための各部の電圧波形を示す図である。
【００６９】
ここで、例えば１番目の検出電極１５のセトリング期間において、スイッチ・キャパシ
タ回路３１のスイッチＳＷ１がオン状態となり、スイッチＳＷ２がオフ状態となっている
際（矢印ａ部分）には、コモン信号ＶＣＯＭの電圧の切り替わりに伴うノイズは、容量Ｃ
ＬＣＤを介してノードＡに伝搬して、セトリング電圧Ｃｍｏｄに影響を与えてしまう。な
お、スイッチ・キャパシタ回路３１のスイッチＳＷ１がオフ状態となり、スイッチＳＷ２
がオン状態となっている際（矢印ｂ部分）には、Ｃｘの両端は短絡されているので、コモ
ン信号ＶＣＯＭの電圧が切り替わってもノイズはほとんど生じない。
【００７０】
このセトリング電圧Ｃｍｏｄの実測値を図１２に示す。なお、図１２Ａは図１１の矢印
ａ部分に対応するタイミングでの実測値であり、図１２Ｂは図１１の矢印ｂ部分に対応す
るタイミングでの実測値である。図１２Ａ及び図１２Ｂを対比すると明らかなように、図
１１の矢印ａ部分ではコモン信号ＶＣＯＭの切り替わりに伴うノイズ電圧がセトリング電
圧Ｃｍｏｄに重畳しているが、図１１の矢印ｂ部分ではコモン信号ＶＣＯＭが切り替わっ
てもノイズが重畳していないことが見て取れる。従来のスイッチ・キャパシタ回路の駆動
回路、すなわちタッチパネルコントローラーは、ＬＣＤの駆動タイミングとは独立して駆
動（非同期駆動）されていたため、セトリング電圧Ｃｍｏｄにノイズが重畳する場合とノ
イズが重畳しない場合とがランダムに発生していた。
【００７１】
このように、コモン信号ＶＣＯＭの駆動タイミングとタッチパネルコントローラーが非
同期であると、スイッチ・キャパシタ回路３１のスイッチＳＷ１及びＳＷ２のオン状態及
びオフ状態によってコモン信号ＶＣＯＭの電圧の切り替わりに伴うノイズがセトリング電
圧Ｃｍｏｄにランダムに重畳してしまうために、セトリング電圧Ｃｍｏｄが変動してしま
う。このセトリング電圧Ｃｍｏｄの変動は、カウント値Ｃｎｔが座標検出毎にランダムに
変動することになり、また、１回の座標検出動作中にも各検出電極１５から得られるカウ
ント値のばらつきの原因となる。
【００７２】
通常、液晶表示パネル１１とタッチパネル１２とは別個に製造されて、最終工程で組み
合わされて静電容量型タッチパネル付き液晶表示装置１０とされる。そのため、一般には
、スイッチ・キャパシタ回路の駆動回路、すなわちタッチパネルコントローラー３６は、
ＬＣＤの駆動タイミングとは独立して駆動（非同期駆動）されるようになる。
【００７３】
そこで、実施形態の静電容量型タッチパネル付き液晶表示装置１０では、液晶表示パネ
ル１１の外周側に形成されているコモン配線２０Ｌの外周側に沿ってノイズ検出用配線Ｎ
ＤＬを配設し、このノイズ検出用配線ＮＤＬの両端をそれぞれ外部接続用端子Ｔ１に隣接
して配置された診断用パッドＴ２に電気的に接続している。このノイズ検出用配線ＮＤＬ
はフローティング状態となっている。
【００７４】
なお、ノイズ検出用配線ＮＤＬは、走査線１７ないし信号線１８の形成時に、コモン配
線２０Ｌの形成と同時に同一材料で形成すればよい。これにより、特にノイズ検出用配線
ＮＤＬを形成するための特別な工程は必要なくなる。このノイズ検出用配線ＮＤＬは、コ
モン配線２０Ｌに沿って形成されているため、ノイズ検出用配線ＮＤＬとコモン配線２０
Ｌとの間には大きな容量が形成されるので、一種のアンテナとして作用し、コモン配線２
０Ｌに印加されている信号に起因するノイズを良好に検出することができる。
【００７５】
そして、実施形態の静電容量型タッチパネル付き液晶表示装置１０では、このノイズ検
出用配線ＮＤＬに誘導されたノイズ電圧に基いて、タッチパネルコントローラー３６によ
って検出された容量信号をノイズ検出回路４０によって検出されたノイズ信号によって補
正し、正確なタッチ座標が得られるようにしている。このノイズ検出回路４０の概略構成
を図１３を用いて説明する。
【００７６】
ノイズ検出回路４０は、ノイズ増幅回路４１及びＡＤ変換器４２を備えている。ノイズ
増幅回路４１は、周知のバッファー回路及びレベル調整回路からなっており、液晶表示パ
ネル１１の診断用パッドＴ２の一方側に現れたノイズ電圧を増幅してＡＤ変換器４２に出
力する。ＡＤ変換器４２は、周知のものを適宜選択して使用することができ、増幅された
ノイズ電圧をＡＤ変換する。このＡＤ変換器４２の出力は、タッチパネルコントローラー
３６のマイクロプロセッサＭＰＵに入力される。
【００７７】
そして、ＭＰＵ内で、タッチパネル１２の検出電極１５で検出されたデジタル化された
容量検出値と、デジタル化されたノイズ信号とを演算処理することにより、ノイズ成分が
補正されたタッチ座標を検出する。なお、ノイズ検出回路４０のＡＤ変換器４２は、容量
検出回路２９の動作と同期して作動させると、より正確にタッチ座標を検出することがで
きるようになる。このノイズ検出回路４０と容量検出回路２９との同期は、マイクロプロ
セッサＭＰＵにより容易に行わせることができる。なお、このマイクロプロセッサＭＰＵ
を備えるタッチパネルコントローラー３６が、本発明の座標検出回路及びノイズ除去回路
に対応する。
【００７８】
以上述べたとおり、実施形態の静電容量型タッチパネル付き液晶表示装置１０によれば
、コモン配線２０Ｌに印加されている信号に起因するノイズに起因する容量の検出値を正
確に補正できるので、正確なタッチ座標を求めることができるようになる。
【００７９】
なお、上記実施形態の静電容量型タッチパネル付き液晶表示装置１０においては、ノイ
ズ検出回路４０をタッチパネルコントローラー３６とは別個に設けた例を示したが、ノイ
ズ検出回路４０をタッチパネルコントローラー３６内に一体に組み込むこともできる。
【００８０】
なお、実施形態の静電容量型タッチパネル付き液晶表示装置１０においては、ノイズ検
出用配線ＮＤＬは、両端部が一対の診断用パッドＴ２に接続されている。このノイズ検出
用配線ＮＤＬは、液晶表示パネル１１の外周側に形成されているコモン配線２０Ｌの更に
外周側にコモン配線２０Ｌに沿って形成されている。従って、ノイズ検出用配線ＮＤＬは
液晶表示パネルの最も最外周側に沿って形成されていることになる。
【００８１】
そのため、このノイズ検出用配線ＮＤＬは、液晶表示パネル１１の製造時に、基板割れ
等の検出用としても利用することができる。すなわち、基板割れや欠け等が生じた場合に
は最初にノイズ検出用配線ＮＤＬが断線する。そのため、製造時に一対の診断用パッドＴ
２間の電気抵抗を測定すれば、ノイズ検出用配線ＮＤＬの断線を容易に検出することがで
きる。なお、ノイズ検出用配線ＮＤＬが断線しても、感度が落ちるが、ノイズ検出にはそ
れほど影響がない。そこで、製造時にノイズ検出用配線ＮＤＬの断線が検出された液晶表
示パネルに対しては、詳細な検査を行い、表示に悪影響が生じている液晶表示パネルを排
除することができるようになる。
【００８２】
なお、上述した実施形態に係る静電容量型タッチパネル付き液晶表示装置は、携帯電話
、デジタルカメラ、ノートパソコン、液晶テレビ、ビデオレコーダ、カーナビゲーション
装置、ページャ、電子手帳、電卓、ワードプロセッサ、ワークステーション、テレビ電話
、ＰＯＳ端末、ＡＴＭ等などの機器に対しても適用可能である。
【符号の説明】
【００８３】
１０…静電容量型タッチパネル付き液晶表示装置  １１…液晶表示パネル  １２…タッ
チパネル  １３…アレイ基板  １４…対向基板  １５…検出電極  １５ａ…第１検出電極
１５ｂ…第２検出電極  １５ｃ…交差部  １５ｄ…層間絶縁膜  １５ｅ…中継電極  １
６…駆動回路  １７…走査線  １７Ｌ…走査線引き回し配線  １８…信号線  １８Ｌ…信
号線引き回し配線  １９…画素  ２０…共通電極  ２０Ｌ…コモン配線  ２１…コモン信
号供給回路  ２２…薄膜トランジスター（ＴＦＴ）  ２３…液晶容量  ２４…画素電極  
２５…液晶層  ２６…制御回路  ２７…走査線駆動回路  ２８…信号線駆動回路  ２９…
容量検出回路  ３０…ＡＤ変換器  ３０ａ…逐次比較型ＡＤ変換器  ３１…スイッチ・キ
ャパシタ回路  ３２…定電流源  ３３…容量素子  ３４…コンパレータ  ３５…カウンタ
３６…タッチパネルコントローラー  ４０…ノイズ検出回路  ４１…ノイズ増幅回路  
４２…ＡＤ変換器  ＮＤＬ…ノイズ検出用配線  Ｔ１…外部接続用端子  Ｔ２…診断用パ
ッド  ＶＣＯＭ…コモン信号  Ｄａ…表示データ  ＳＷ１、ＳＷ２…スイッチ  Ｖｒｅｆ
…基準電圧  Ｖｃｍｐ…（コンパレータの）出力信号  Ｏｓｃ…クロック信号  Ｃｎｔ…
カウント値  ＭＰＵ…マイクロプロセッサ
【図１】
2011180401.tif 000003
【図２】
2011180401.tif 000004
【図３】
2011180401.tif 000005
【図４】
2011180401.tif 000006
【図５】
2011180401.tif 000007
【図６】
2011180401.tif 000008
【図７】
2011180401.tif 000009
【図８】
2011180401.tif 000010
【図９】
2011180401.tif 000011
【図１０】
2011180401.tif 000012
【図１１】
2011180401.tif 000013
【図１３】
2011180401.tif 000014
【図１２】
2011180401.tif 000015